(57)【特許請求の範囲】
【請求項１】
浴室壁および外壁を貫通する穴部に嵌入されかつ浴室壁に固定された接続筒を通じて給気およびまたは排気を行うバランス型風呂釜を備えた浴室に設置される浴槽または前記接続筒に嵌入され固定される壁貫通型風呂給湯器を備えた浴室に設置される浴槽のいずれか一方を浴室に固定する浴槽固定具において、
ベース部と取付部とを有し、
前記ベース部は、前記接続筒の浴室側端部に固定されるものであり、
前記取付部は、前記接続筒に固定された前記ベース部から浴室壁に沿って延びる部材であって、前記浴槽とを連結するための連結金具に螺子止めされるものである
ことを特徴とする浴槽固定具。
【請求項２】
前記接続筒は、浴室側開口の周囲に浴室壁と平行な周縁部を有するものであり、
前記ベース部は、前記周縁部と略同一形状の枠板部材であり、前記周縁部に重ねて取り付けられるものである
ことを特徴とする請求項１に記載の浴槽固定具。
【請求項３】
前記取付部は、前記ベース部から浴室壁に沿って突出した接続部と、前記連結金具が螺子止めされる取付腕部とからなり、
前記取付腕部を、浴室床面からの取付高さを選択して前記接続部に固着可能とした
ことを特徴とする請求項１または２に記載の浴槽固定具。
【請求項４】
前記接続部は、浴室床面からの高さが異なる複数の取付穴を有する
ことを特徴とする請求項３に記載の浴槽固定具。
【請求項５】
前記接続筒の前記浴室側開口と前記周縁部とがそれぞれ上下左右に対称形を成している場合において、
前記ベース部を上下左右に対称な形とし、
前記ベース部と前記接続部とを一体に構成し、
前記接続部を、前記ベース部の左右何れか一方に設けかつ前記ベース部の上下何れか一方に片寄せて設けた
ことを特徴とする請求項３または４に記載の浴槽固定具。
【請求項６】
前記周縁部が外周部とこの外周部より一段落ち込んだ内周部とから構成されたものである場合において、
前記取付部と前記ベース部とを別体に構成し、
前記ベース部を、前記周縁部の前記内周部に取り付け、
前記取付部を、前記ベース部に取り付けられる台座部と、前記台座部から前記外周部を越える高さまで立ち上がる立上部と、前記立上部の上端から浴室壁面に沿って延びるとともに前記取付穴の開設された腕部とからなるものとし、
前記台座部を、浴室床面からの取付高さを選択して前記ベース部に固着可能とした
ことを特徴とする請求項２に記載の浴槽固定具。
【発明の詳細な説明】
【０００１】
【発明の属する技術分野】
本発明は、浴室壁および外壁を貫通する穴部に嵌入されかつ浴室壁に固定された接続筒を通じて給気およびまたは排気を行うバランス型風呂釜または前記接続筒に嵌入され固定される壁貫通型風呂給湯器を備えた浴室に設置される浴槽を固定する浴槽固定具に関する。
【０００２】
【従来の技術】
従来、浴槽の転倒を防止するため、図１９に示すように、浴室壁面に金具を介して浴槽を螺子止めすることが行われている。まず、第１のＬ字金具５１１を浴槽５１０の上縁の折返部に螺子止めし、次に第２のＬ字金具５１２を浴室壁５１４に螺子止めし、ドライバーが通る程度の僅かの隙間を残して浴槽５１０を壁際に寄せ、最後に第１のＬ字金具５１１と第２のＬ字金具５１２とを螺子止めすることで、浴槽５１０の固定が完了するようになっている。
【０００３】
【発明が解決しようとする課題】
上述した従来の固定方法では、第２のＬ字金具を浴槽壁面に直接螺子止めするので、壁面に螺子穴が開いてしまう。したがって、浴槽を取り替えたり浴槽の設置場所を移動させたりすることによって金具の取付位置が変わると、以前の螺子穴がそのまま残るため、美観上、好ましくない。また、ユニットバスの場合には、以前の螺子穴を通して浴室の湿気がユニットバス壁面と外壁との間に漏れるので、これを防止するために螺子穴をシーラントで埋める等の作業が必要になっていた。
【０００４】
このほか、従来は、第１のＬ字金具と適切に係合するように第２のＬ字金具の取付位置を割り出す作業が煩雑であった。特に、ユニットバスでは床面から側壁が立ち上がる部分にカーブを付けてある場合が多いので、床面からの取付位置までの高さを巻尺等で測って位置出しする作業がより一層煩雑なものになっていた。
【０００５】
本発明は、このような問題点に着目してなされたもので、浴室壁面に直接穴を開けることなく取り付け容易に浴槽を固定することのできる浴槽固定具を提供することを目的としている。
【０００６】
【課題を解決するための手段】
かかる目的を達成するための本発明の要旨とするところは、次の各項の発明に存する。
［１］浴室壁および外壁を貫通する穴部に嵌入されかつ浴室壁に固定された接続筒（２１０、３１０）を通じて給気およびまたは排気を行うバランス型風呂釜を備えた浴室に設置される浴槽または前記接続筒（２１０、３１０）に嵌入され固定される壁貫通型風呂給湯器を備えた浴室に設置される浴槽のいずれか一方を浴室に固定する浴槽固定具において、
ベース部（１１２）と取付部（１１３、１２０）とを有し、
前記ベース部（１１２）は、前記接続筒（２１０、３１０）の浴室側端部に固定されるものであり、
前記取付部（１１３、１２０）は、前記接続筒（２１０、３１０）に固定された前記ベース部（１１２）から浴室壁に沿って延びる部材であって、前記浴槽とを連結するための連結金具に螺子止めされるものである
ことを特徴とする浴槽固定具。
【０００７】
［２］前記接続筒（２１０、３１０）は、浴室側開口の周囲に浴室壁と平行な周縁部（２１２、３１２）を有するものであり、
前記ベース部（１１２）は、前記周縁部（２１２、３１２）と略同一形状の枠板部材であり、前記周縁部（２１２、３１２）に重ねて取り付けられるものである
ことを特徴とする［１］に記載の浴槽固定具。
【０００８】
［３］前記取付部（１１３、１２０）は、前記ベース部（１１２）から浴室壁に沿って突出した接続部（１１３）と、前記連結金具が螺子止めされる取付腕部（１２０）とからなり、
前記取付腕部（１２０）を、浴室床面からの取付高さを選択して前記接続部（１１３）に固着可能とした
ことを特徴とする［１］または［２］に記載の浴槽固定具。
【０００９】
［４］前記接続部（１１３）は、浴室床面からの高さが異なる複数の取付穴（１１５）を有する
ことを特徴とする［３］に記載の浴槽固定具。
【００１０】
［５］前記接続筒（２１０、３１０）の前記浴室側開口と前記周縁部（２１２、３１２）とがそれぞれ上下左右に対称形を成している場合において、
前記ベース部（１１２）を上下左右に対称な形とし、
前記ベース部（１１２）と前記接続部（１１３）とを一体に構成し、
前記接続部（１１３）を、前記ベース部（１１２）の左右何れか一方に設けかつ前記ベース部（１１２）の上下何れか一方に片寄せて設けた
ことを特徴とする［３］または［４］に記載の浴槽固定具。
【００１１】
［６］前記周縁部（２１２、３１２）が外周部とこの外周部より一段落ち込んだ内周部とから構成されたものである場合において、
前記取付部（１１３、１２０）と前記ベース部（１１２）とを別体に構成し、
前記ベース部（１１２）を、前記周縁部（２１２、３１２）の前記内周部に取り付け、
前記取付部（１１３、１２０）を、前記ベース部（１１２）に取り付けられる台座部（４３１）と、前記台座部（４３１）から前記外周部を越える高さまで立ち上がる立上部（４３２）と、前記立上部（４３２）の上端から浴室壁面に沿って延びるとともに前記取付穴（１１５）の開設された腕部（４３３）とからなるものとし、
前記台座部（４３１）を、浴室床面からの取付高さを選択して前記ベース部（１１２）に固着可能とした
ことを特徴とする［２］に記載の浴槽固定具。
【００１２】
前記本発明は次のように作用する。
浴槽固定具は、浴室壁および外壁を貫通する穴部に嵌入されかつ浴室壁に固定された接続筒（２１０、３１０）を通じて給気およびまたは排気を行うバランス型風呂釜を備えた浴室に設置される浴槽または先の接続筒（２１０、３１０）に嵌入され固定される壁貫通型風呂給湯器を備えた浴室に設置される浴槽のいずれか一方を浴室に固定するためのものである。浴槽固定具はベース部（１１２）と取付部（１１３、１２０）とから構成されており、ベース部（１１２）は、接続筒（２１０、３１０）の浴室側端部に固定される。取付部（１１３、１２０）は、接続部（１１３）と取付腕部（１２０）とから構成されている。
【００１３】
たとえば、壁貫通型風呂給湯器を接続筒（２１０、３１０）に固定するための螺子を兼用し、壁貫通型風呂給湯器と接続筒（２１０、３１０）との間にベース部（１１２）を挟持するようにして浴槽固定具を接続筒（２１０、３１０）に固定する。取付部（１１３、１２０）は、接続筒（２１０、３１０）に固定されたベース部（１１２）から浴室の壁に沿って延びる剛性部材である。取付部（１１３、１２０）には、浴槽と取付部（１１３、１２０）とを連結する連結金具が螺子止めされる。
【００１４】
このように、浴槽壁に固定された接続筒（２１０、３１０）に浴槽固定具のベース部（１１２）を取り付け、このベース部（１１２）から浴室壁に沿って延びる取付部（１１３、１２０）に連結金具を介して浴槽を固定するので、浴室壁に別途、穴を開けることなく浴槽を固定することができる。その結果、浴槽を取り替えたり浴槽の設置場所を移動させたりした場合にも、浴室壁面に以前の穴が残らず、美観を損ねることがない。ユニットバスにおいては、以前の穴を通じて湿気がバス壁と外壁との間に漏れ出ることもない。
【００１５】
ところで、浴室床面からの接続筒（２１０、３１０）の取付高さに関する公的な標準規格はないものの、事実上の標準規格によって取付高さがほぼ定まっている。このため接続筒（２１０、３１０）に浴槽固定具を固定すれば、浴室床面からの高さを想定して予め取付穴（１１５）を開けておくことができ、設置時における取付位置の割出作業が軽減される。
【００１６】
接続筒（２１０、３１０）がその浴室側開口の周囲に浴室壁と平行な周縁部（２１２、３１２）を有するものであるとき、ベース部（１１２）を、周縁部（２１２、３１２）と略同一形状の枠板部材と、周縁部（２１２、３１２）に重ねて取り付けるように構成したものでは、壁貫通型風呂給湯器の接続筒周縁部（２１２、３１２）への取付部分と周縁部（２１２、３１２）との間に浴槽固定具のベース部（１１２）を挟み込む状態で壁貫通型風呂給湯器を取り付けることができる。また浴槽固定具の介挿により取付部分に隙間の生じることがない。
【００１７】
取付部（１１３、１２０）を、ベース部（１１２）から浴室壁に沿って突出した接続部（１１３）と、連結金具が螺子止めされる取付腕部（１２０）とに分けて構成し、取付腕部（１２０）を接続部（１１３）に浴室床面からの取付高さを選択可能に固着するものでは、浴槽の高さに応じた高さに取付腕部（１２０）を固定することが可能になる。たとえば、接続部（１１３）に浴室床面からの高さが異なる複数の取付穴（１１５）を設ける。
【００１８】
このように、取付部（１１３、１２０）を接続部（１１３）と取付腕部（１２０）に分けて構成し、接続部（１１３）に取付腕部（１２０）を取り付ける際の浴室床面からの取付高さを選択可能にしたものでは、一種類の浴槽固定具で高さの異なる複数の浴槽に対応可能となり、一種類の浴槽固定具を汎用的に用いることができ、浴槽固定具の価格低減を図ることができる。また浴槽を高さの異なるものに取り替えた場合にも、以前の浴槽固定具をそのまま利用できるので、新たに浴槽固定具を調達する必要がない。なお、浴槽の高さは数種類に標準化されているので、これらに合わせて予め複数種類の取付穴（１１５）を開けておくことができる。
【００１９】
接続筒（２１０）の浴室側開口と周縁部（２１２）とがそれぞれ上下左右に対称形を成している場合において、ベース部（１１２）を上下左右に対称な形とし、ベース部（１１２）と接続部（１１３）とを平板状に一体に構成し、接続部（１１３）を、ベース部（１１２）の左右何れか一方に設けかつベース部（１１２）の上下何れか一方に片寄せて設けたものでは、ベース部（１１２）の表裏を変えて取り付けることにより、接続部（１１３）の浴室床面からの高さを変えることができる。すなわち、浴槽の高さに応じてベース部（１１２）の表裏を使い分けることで、接続部（１１３）および取付腕部（１２０）が浴槽より上に露出せずに取り付けることが可能となり、美観を損ねることがない。
【００２０】
また、壁貫通型風呂給湯器を接続筒（４１０）に取り付けた際に、壁貫通型風呂給湯器の前面の浴室壁面からの突出量を低減するために、接続筒（４１０）の周縁部（４１１）を、外周部（４１２）と、外周部（４１２）から一段落ち込んだ内周部（４１３）とから構成したものがある。
【００２１】
このようなものに対応可能とするために、取付部（１１３、１２０）とベース部（１１２）とを別体構成とし、取付部（１１３、１２０）を、ベース部（１１２）に取り付けられる台座部（４３１）と、台座部（４３１）から外周部を越える高さまで立ち上がる立上部（４３２）と、立上部（４３２）の上端から浴室壁面に沿って延びるとともに取付穴（１１５）の開設された腕部（４３３）とで構成し、台座部（４３１）をベース部（１１２）に取付高さ選択可能に固着するものでは、浴槽の高さに応じて取付部の取付高さを選択することができ、取付部が露出しないようにして浴槽を固定することが可能になる。
【００２２】
【発明の実施の形態】
以下、図面に基づき本発明の一実施の形態を説明する。
本発明の一実施の形態にかかる浴槽固定具１００は、固定金具１１０と取付腕部１２０とから構成される。図１は、固定金具１１０の正面を、図２は取付腕部１２０の正面を、図３は取付腕部１２０の側面をそれぞれ表している。取付部１１３、１２０は、接続部１１３と取付腕部１２０とから構成されている。
【００２３】
固定金具１１０は、後に説明する接続筒に合わせた大きさの開口１１１を有する矩形の枠型のベース部１１２と、ベース部１１２の上下の一方に片寄せた位置から左右の一方に延びた平板状の接続部１１３とから構成される。ベース部１１２と接続部１１３とは一枚の平板を加工して一体に構成されている。
【００２４】
開口１１１には、接続筒２１０に設けられている螺子穴の位置に合わせて、縦長の螺子穴１１４が開けてある。接続部１１３には、取付腕部１２０を取り付ける螺子を通すための取付穴１１５が、浴室床面からの高さが異なるようにして複数組、開設されている。取付穴１１５には、固定金具１１０を接続部１１３が下方になるように取り付けた場合に使用される低取付穴１１５ａ（和洋折衷浴槽用）と、接続部１１３が上方へ片寄るように固定金具１１０の上下を逆にして取り付けた場合に使用される高取付穴１１５ｂ（和式浴槽用）とがある。
【００２５】
浴室床面からの接続筒の取付高さに関する公的な標準規格はないものの、事実上の標準規格によって取付高さがほぼ定まっている。また浴槽の高さは数種類に標準化されている（例えば、和式、様式、和洋折衷等）。したがって、浴室床面からの取付高さが一定な接続筒に固定金具１１０を固定したことにより、各種の浴槽高さに合わせた複数組の取付穴を予め接続部１１３に開設しておくことが可能になっている。
【００２６】
取付腕部１２０は、断面Ｌ字の金具であり、一端部近傍に、接続部１１３の取付穴１１５に対応する一組の縦長螺子穴１２１が開設されている。取付腕部１２０は、縦長螺子穴１２１と何れか一組の取付穴１１５とに通した２本の螺子により固定金具１１０に固定される。なお、接続部１１３および取付腕部１２０は取付部を成している。
【００２７】
図４は、浴室壁および外壁を貫通する穴部に嵌入されかつ浴室壁に固定される接続筒２１０であってバランス型風呂釜２０１に対応したものを示している。図５は、接続筒２１０の取付状態を示している。接続筒２１０は浴室壁２２１および外壁２２２に開けられた穴部に嵌入される角型筒状部２１１と、角型筒状部２１１の浴室側端部に設けられた浴室壁と平行な周縁部２１２とから構成されている。周縁部２１２には、接続筒２１０を浴室壁に螺子止めするための螺子穴２１３が開設されている。接続筒２１０は、その中心の高さが、浴室床面から４８６ミリの高さに設置される。この高さは、公的な規格ではないが、事実上標準化された高さになっている。
【００２８】
図６は、浴室壁および外壁を貫通する穴部に嵌入されかつ浴室壁に固定される接続筒３１０であって壁貫通型風呂給湯器３０１を取り付ける際に使用されるものを示している。図７は、浴室壁に取り付けた接続筒３１０に壁貫通型風呂給湯器３０１の機器本体３０２と、フロントカバー３０３の取付順を示したものである。図８は、壁貫通型風呂給湯器３０１の設置状態を示している。
【００２９】
接続筒３１０は、接続筒２１０と同様に、浴室壁３２１および外壁３２２に開けた穴部に嵌入される角型筒状部３１１と、角型筒状部３１１の浴室側端部に設けられた浴室壁と平行な周縁部３１２とから構成されている。周縁部３１２には、接続筒３１０を浴室壁に螺子止めするための螺子穴３１３と、機器本体３０２を接続筒３１０に取り付けるための螺子穴３１４が開設されている。またフロントカバー３０３は機器本体３０２に螺子止めされる。接続筒３１０は、その中心の高さが浴室床面から４８６ミリの高さに設置される。
【００３０】
図９および図１０は、浴槽固定具１００を用いて浴槽１０を固定する様子を示している。浴槽１０が高さの低いタイプである場合には、固定金具１１０を、図１に示すように、接続部１１３が下寄りになるように向けて用いる。浴槽１０が高さの高いタイプである場合には、固定金具１１０を、図１に示すものと上下逆にし、接続部１１３が上寄りになるように向けて用いる。
【００３１】
浴槽１０には、図１０に示すように、Ｌ字型の連結金具１１を取り付ける。すなわち、Ｌ字の一片を垂直とし、他方の一片が浴槽１０から外側へ水平に延びるようにして連結金具１１を浴槽上端の折返部分に取り付ける。
【００３２】
浴槽１０に取り付けた連結金具１１の高さに合わせて、取付腕部１２０を取り付けるべき取付穴１１５を選択し、高さの合う取付穴１１５を用いて取付腕部１２０を固定金具１１０に螺子止めする。なお各取付穴１１５には、浴槽の高さに対応して標準化されている識別番号（ＵＢ５６０、ＵＢ５７０など）を記載してあり、作業者は、浴槽の識別番号に対応する識別番号が併記されている取付穴１１５に取付腕部１２０を取り付ければよい。
【００３３】
次に取付腕部１２０の螺子止めされた固定金具１１０を、接続筒２１０、接続筒３１０に固定する。バランス型風呂釜２０１に対応した接続筒２１０の場合には、浴室壁に接続筒２１０を固定するための螺子穴を利用し、固定金具１１０を接続筒２１０の周縁部２１２に重ねて固定する。壁貫通型風呂給湯器３０１の場合には、機器本体３０２に固定金具１１０の開口１１１を通し、接続筒３１０の周縁部３１２と機器本体３０２の前縁部分３０５とで固定金具１１０のベース部１１２を挟み込み、機器本体３０２を接続筒３１０に固定するための螺子を兼用して、固定金具１１０を接続筒３１０に固定する。図１０は、ここまでの作業を終えた状態を示している。
【００３４】
この後、浴槽１０をドライバーが入る程度の隙間を残して浴室壁側に移動し、連結金具１１と取付腕部１２０とを重ね合わせ、これらに開設されている螺子穴の位置を合わせ、連結金具１１と取付腕部１２０とを螺子止めする。
【００３５】
このように、浴槽壁に固定された接続筒２１０、３１０に浴槽固定具１００のベース部１１２を取り付け、このベース部１１２から浴室壁に沿って延びる取付部１１３、１２０に連結金具１１を介して浴槽を固定するので、浴室壁に別途、穴を開けることなく浴槽を固定することができる。その結果、浴槽を取り替えたり浴槽の設置場所を移動させたりした場合にも、浴室壁面に以前の穴が残らず、美観を損ねることがない。特にユニットバスにおいては、以前の穴を通じて湿気がバス壁と外壁との間に漏れ出ることもない。
【００３６】
またベース部１１２を、接続筒３１０の周縁部３１２と略同一形状（開口周囲を一周する形状）の枠板部材とし、周縁部に重ねて取り付けるので、壁貫通型風呂給湯器３０１の機器本体３０２の前縁部分３０５と周縁部３１２との間にベース部１１２を挟み込んで機器本体３０２を取り付けた際に、取付部分に隙間の生じることがない。
【００３７】
さらに取付腕部１２０の接続部１１３への取付高さを選択し得るので、一種類の浴槽固定具１００で高さの異なる複数の浴槽に対応可能となる。これにより浴槽固定具の価格低減を図ることができる。また浴槽を高さの異なるものに取り替えた場合にも、以前の浴槽固定具をそのまま利用できるので、新たに浴槽固定具を調達する必要がない。
【００３８】
さらに、浴槽の高さに応じて固定金具１１０の上下を換えて使用することで、浴槽高さの大きな変化巾に対応できる。また浴槽高さにかかわらず接続部１１３および取付腕部１２０を浴槽より上に露出させずに取り付けることが可能となり、美観を損ねることがない。
【００３９】
次に、接続筒が外周部とこれより一段落ち込んだ内周部とから構成された接続筒に対応する浴槽固定具について説明する。図１１に示すように、壁貫通型風呂給湯器３０１を接続筒に取り付けた際に、壁貫通型風呂給湯器３０１のフロントカバー３０３が浴室壁面から突出する量を低減するために、接続筒４１０の周縁部４１１を、外周部４１２と、外周部４１２から一段落ち込んだ内周部４１３とから構成したものがある。
【００４０】
このようなものに対応可能とするため、浴槽固定具を、図１２に示すようにベース部４２０と接続部４３０とを別体構成にする。接続部４３０は、ベース部４２０の上下何れか一方を選択して片寄せた状態で着脱可能な構成になっている。接続部４３０は、ベース部４２０に取り付けられる台座部４３１と、台座部４３１から外周部４１２を越える高さまで立ち上がる立上部４３２と、立上部４３２の上端から浴室壁面に沿って延びるとともに取付穴の開設された腕部４３３とで構成されている。図１３は、設置状態の水平断面を示している。
【００４１】
次に、外周部とこれによって一段落ち込んでいるウィンドウサッシと呼ばれる場所へ接続筒を取り付ける場合について説明する。
図１４は、ウィンドウサッシ部分における浴室壁の断面を示している。ウィンドウサッシ４８０は、建物壁面４８１に合わせて取り付けられており、建物壁面４８１とユニットバス壁面４８２との間には一定の空間４８３がある。したがって、ウィンドウサッシ４８０はユニットバス壁面４８２よりも外側へ一段落ち込んだ状態になっている。
【００４２】
かかるウィンドウサッシ４８０の部分へ壁貫通型風呂給湯器３０１を取り付ける場合にも、前に説明したように図１２に示す別体型のものを用いてもよいが、図１５〜図１７に示すウィンドウサッシ取付金具４９０を用いれば、機器取付面をユニットバス壁面４８２とほぼ同一面とすることができる。
【００４３】
ウィンドウサッシ取付金具４９０は、矩形の短い筒状を成したベース金具４９１と、このベース金具の内側にちょうど嵌まる矩形筒状部と矩形筒状部の一端の周縁四方から内側へ延びた額縁状の前枠部とを有する前枠金具４９２と、ベース金具４９１と前枠金具とを連結するシール板４９３とから構成される。
【００４４】
ウィンドウサッシ４８０に取り付けた接続筒にベース金具４９１を取り付け（図１５ａ）、ベース金具４９１の内側に前枠金具４９２を挿入し（図１５ｂ）、図１６に示すように前枠金具４９２の前面と浴室内壁面とが同一面になるように調整し、前枠金具４９２をベース金具４９１にねじで固定する。図１６ａは、段差が少ない場合（３０〜４０ミリ）の取付方を、図１６ｂは、段差が大きい場合（４０〜５０ミリ）の取付方を示している。
【００４５】
このように、ウィンドウサッシ取付金具４９０を用いて、ウィンドウサッシ４８０とユニットバス壁面４８２との段差を解消すれば、図１８に示すように、図１に示した固定金具１１０を用いて取り付けることが可能になる。なお、図１８中の「Ｄ」は、段差の寸法を示している。
【００４６】
以上説明した実施の形態では、各種の浴槽高さに対応させるために固定金具１１０と取付腕部１２０とを別体に構成したが、一種類あるいは上下反転を考えて２種類の高さの浴槽に対応可能なものでは、固定金具１１０と取付腕部１２０と一体に構成してもよい。
【００４７】
【発明の効果】
本発明にかかる浴槽固定具によれば、浴槽壁に固定された接続筒に浴槽固定具のベース部を取り付け、このベース部から浴室壁に沿って延びる取付部に連結金具を介して浴槽を固定するので、浴室壁に別途、穴を開けることなく浴槽を固定することができる。その結果、浴槽を取り替えたり浴槽の設置場所を移動させたりした場合にも、浴室壁面に以前の穴が残らず、美観を損ねることがない。ユニットバスにおいては、以前の穴を通じて湿気がバス壁と外壁との間に漏れ出ることがない。
【００４８】
接続筒がその浴室側開口の周囲に浴室壁と平行な周縁部を有するものである場合において、ベース部を、周縁部と略同一形状の枠板部材と、周縁部に重ねて取り付けるように構成したものでは、壁貫通型風呂給湯器の接続筒周縁部への取付部分と周縁部との間に浴槽固定具のベース部を挟み込む状態で取り付けることができ、隙間の生じることなく壁貫通型風呂給湯器および浴槽固定具を取り付けることができる。
【００４９】
取付部を接続部と取付腕部に分けて構成し、接続部に取付腕部を取り付ける際の浴室床面からの取付高さを選択可能にしたものでは、一種類の浴槽固定具で高さの異なる複数の浴槽に対応可能となる。また浴槽を高さの異なるものに取り替えた場合にも、以前の浴槽固定具をそのまま利用できるので、新たに浴槽固定具を調達する必要がない。
【００５０】
接続部を、ベース部の左右何れか一方に設けかつベース部の上下何れか一方に片寄せて設けたものでは、ベース部の表裏を換えて取り付けることにより、接続部の浴室床面からの高さを変えることができ、露出による美観の低下を起こさずに、浴槽の高さの相違に幅広く対応することが可能になる。
【図面の簡単な説明】
【図１】本発明の一実施の形態に係る浴槽固定具の固定金具を示す正面図である。
【図２】  本発明の一実施の形態に係る浴槽固定具の取付腕部を示す正面図である。
【図３】  本発明の一実施の形態に係る浴槽固定具の取付腕部を示す側面図である。
【図４】バランス型風呂釜に対応した接続筒を示す斜視図である。
【図５】バランス型風呂釜に対応した接続筒の設置状態を示す説明図である。
【図６】壁貫通型風呂給湯器に対応した接続筒を示す斜視図である。
【図７】壁貫通型風呂給湯器および接続筒の取付順を示す説明図である。
【図８】壁貫通型風呂給湯器の設置状態を示す説明図である。
【図９】  本発明の一実施の形態に係る浴槽固定具の固定金具への取付腕部および連結金具の取付方法を示す説明図である。
【図１０】本発明の一実施の形態に係る浴槽固定部によって浴槽を固定する際の途中段階を示す説明図である。
【図１１】外周部とこれより一段落ち込んだ内周部とから構成される周縁部を備えた接続筒を示す斜視図である。
【図１２】外周部とこれより一段落ち込んだ内周部とから構成される周縁部を備えた接続筒に対応可能な浴槽固定具を示す説明図である。
【図１３】外周部とこれより一段落ち込んだ内周部とから構成される周縁部を備えた接続筒に対応可能な浴槽固定具の取付状態を示す断面図である。
【図１４】ウィンドウサッシ部分における浴室壁を示す断面図である。
【図１５】ウィンドウサッシ取付金具およびその取付方を示す説明図である。
【図１６】ウィンドウサッシ取付金具およびその取付方を示す説明図である。
【図１７】ウィンドウサッシ取付金具の取り付け手順を示す分解斜視図である。
【図１８】ウィンドウサッシ取付金具への固定金具の取付方を示す説明図である。
【図１９】従来から行われている浴槽の固定状態を示す断面図である。
【符号の説明】
１０…浴槽
１１…連結金具
１００…浴槽固定具
１１０…固定金具
１１１…開口
１１２…ベース部
１１３…接続部
１１４…螺子穴
１１５…取付穴
１１５ａ…低取付穴
１１５ｂ…高取付穴
１２０…取付腕部
１２１…縦長螺子穴
２０１…バランス型風呂釜
２１０…接続筒
２１１…角型筒状部
２１２…周縁部
２１３…螺子穴
２２１…浴室壁
２２２…外壁
３０１…壁貫通型風呂給湯器
３０２…機器本体
３０３…フロントカバー
３０５…前縁部分
３１０…接続筒
３１１…角型筒状部
３１２…周縁部
３１３…螺子穴
３１４…螺子穴
３２１…浴室壁
３２２…外壁
４１０…接続筒
４１１…周縁部
４１２…外周部
４１３…内周部
４２０…ベース部
４３０…接続部
４３１…台座部
４３２…立上部
４３３…腕部
４８０…ウィンドウサッシ
４８１…建物壁面
４８２…ユニットバス壁面
４８３…空間
４９０…ウィンドウサッシ取付金具
４９１…ベース金具
４９２…前枠金具
４９３…シール板
【図１】
0003727581.tif 000002
【図２】
0003727581.tif 000003
【図３】
0003727581.tif 000004
【図４】
0003727581.tif 000005
【図５】
0003727581.tif 000006
【図６】
0003727581.tif 000007
【図７】
0003727581.tif 000008
【図８】
0003727581.tif 000009
【図９】
0003727581.tif 000010
【図１０】
0003727581.tif 000011
【図１１】
0003727581.tif 000012
【図１２】
0003727581.tif 000013
【図１３】
0003727581.tif 000014
【図１４】
0003727581.tif 000015
【図１５】
0003727581.tif 000016
【図１６】
0003727581.tif 000017
【図１７】
0003727581.tif 000018
【図１８】
0003727581.tif 000019
【図１９】
0003727581.tif 000020